(57)【特許請求の範囲】
【請求項１】
バンドであって、Ｕ字型のバンド本体と、前記バンド本体の両端に位置する第１のバンド端部分及び第２のバンド端部分と、を備えるバンドと；
ヘッドセットであって、前記ヘッドセットはヘッドセット本体を備え、前記ヘッドセット本体は、第１のヘッドセット端部分及び第２のヘッドセット端部分を備え、前記第１のバンド端部分は、回転構造体を使用することによって前記第１のヘッドセット端部分に固定して連結される、ヘッドセットと；
を備えを備える端末装置であって、
前記ヘッドセットが使用される際、第２のヘッドセット端部分は、球の中心として前記回転構造体を使用することによって回転し、かつ、前記ヘッドセットが使用される際、前記バンドは耳フックとして使用され、
前記ヘッドセットが使用されない際、前記ヘッドセット及び前記バンドは閉じられたリングを共に形成し、
前記ヘッドセットは、ヘッドセットレシーバをさらに備え、溝が前記ヘッドセット本体の底面上の前記第２のヘッドセット端部分の近くの位置に配置され、前記ヘッドセットレシーバの一端は、前記溝内の固定ポールに移動可能に連結され、前記ヘッドセットレシーバの他端は、宙に吊られた状態で配置されることを特徴とする端末装置。
【請求項２】
前記ヘッドセットが使用されない際、前記ヘッドセットレシーバは、前記溝内に収容され、前記第２のヘッドセット端部分は、前記第２のバンド端部分と接触することを特徴とする請求項１に記載の端末装置。
【請求項３】
前記ヘッドセットが使用されない際、前記ヘッドセットレシーバは、前記溝の外に配置され、前記ヘッドセットレシーバの前記他端は、前記第２のバンド端部分と接触することを特徴とする請求項１に記載の端末装置。
【請求項４】
前記回転構造体は、球状磁石またはスピンドルであることを特徴とする請求項１〜３のいずれか一項に記載の端末装置。
【請求項５】
前記バンド本体の材料は、変形可能な材料または非変形可能な材料であることを特徴とする請求項１〜４のいずれか一項に記載の端末装置。
【発明の詳細な説明】
【技術分野】
【０００１】
本願発明の実施形態は、機械技術、特に、端末装置に関する。
【背景技術】
【０００２】
科学及び技術の急速な発展に伴い、様々な端末装置が、バンド及びヘッドセットなどに入ってくる。特に、ワイヤレスヘッドセットの出現に伴い、ヘッドセット及び受信機がワイヤレスになり、ヘッドセットのケーブルから人々を自由にしている。バンドは、ウェアラブル装置であり、装飾的な機能を有する。
【０００３】
ヘッドセット及びバンドのなどの従来の端末装置は、全て独立的存在の構成部品である。使用者がヘッドセットを使用する必要がない際、使用者がヘッドセットをしまう必要がある。急にヘッドセットを使用する必要がある際、ヘッドセットを探す必要があり、ヘッドセットの使用及び使用者の体験において使用者に影響する。さらに、端末装置の普及に伴い、使用者は、より多くの端末装置を携帯する。様々な独立的存在の端末装置が比較的大きな空間を占有し、端末装置を携帯するのに不便が生じる。
【発明の概要】
【発明が解決しようとする課題】
【０００４】
本願発明の実施形態は、端末装置によって占有される空間を減らし、使用者が端末装置を便利に携帯するための端末装置を提供する。
【課題を解決するための手段】
【０００５】
本願発明の実施形態は、バンド及びヘッドセットを含む端末装置を提供し、バンドは、Ｕ字型のバンド本体と、バンド本体の両端に位置する第１のバンド端部分及び第２のバンド端部分と、を含み；ヘッドセットは、ヘッドセット本体を含み、ヘッドセット本体は、第１のヘッドセット端部分及び第２のヘッドセット端部分を含み；第１のバンド端部分は、回転構造体を使用することによって第１のヘッドセット端部分に固定して連結され；ヘッドセットが使用される際、第２のヘッドセット端部分は、球の中心として回転構造体を使用することによって回転し；ヘッドセットが使用される際、バンドは耳フックとして使用され、；ヘッドセットが使用されない際、ヘッドセット及びバンドは閉じられたリングを共に形成する。
【０００６】
前述の端末装置において、ヘッドセットは、ヘッドセットレシーバをさらに備え、溝がヘッドセット本体の底面上の前記第２のヘッドセット端部分の近くの位置に配置され、ヘッドセットレシーバの一端は、溝内の固定ポールに移動可能に連結され、ヘッドセットレシーバの他端は、宙に吊られた状態で配置される。
【０００７】
前述の端末装置において、ヘッドセットが使用されない際、ヘッドセットレシーバは、溝内に収容され、第２のヘッドセット端部分は、第２のバンド端部分と接触する。
【０００８】
前述の端末装置において、ヘッドセットが使用されない際、ヘッドセットレシーバは、溝の外に配置され、ヘッドセットレシーバの前記他端は、第２のバンド端部分と接触する。
【０００９】
前述の端末装置において、回転構造体は、球状磁石またはスピンドルである。
【００１０】
前述の端末装置において、バンド本体の材料は、変形可能な材料または非変形可能な材料である。
【００１１】
この実施形態で形成される端末装置において、バンド本体の第１のバンド端部分は、回転構造体を使用することによってヘッドセット本体の第１のヘッドセット端部分に固定して連結され、これにより、第２のヘッドセット端部分は、球の中心として回転構造体を使用することによって回転し；ヘッドセットが使用される際、バンドは、耳フックとして使用され、ヘッドセットが使用されない際、ヘッドセット及びバンドは、着用者が着用できる閉じられたリングを共に形成し、これにより、端末装置によって占有される空間を削減し、使用者が端末装置を携帯することを便利にする。
【００１２】
本願発明の実施形態における、または、先行技術における技術的解決策をより明確に説明するために、下記に実施形態または先行技術を説明するために必要な添付図を手短に説明する。明らかに、下記の説明における添付図は、単に本願発明のいくつかの実施形態を示すものであり、当業者は、創造的努力なしにこれらの添付図から別の図を引き出し得る。
【図面の簡単な説明】
【００１３】
【図１】本願発明の実施形態１の端末装置におけるヘッドセットが使用されない際の概略構造図である。
【図２】本願発明の実施形態１における端末装置が使用される際に左図である。
【図３】本願発明の実施形態１における端末装置が使用される際に右図である。
【図４】本願発明の実施形態１における、端末装置における回転構造がヘッドセット及びバンドを連結する概略構造図である。
【図５】本願発明の実施形態１における、端末装置におけるヘッドセットが使用されない瞬間から、ヘッドセットが使用される瞬間への概略図である。
【図６】本願発明の実施形態２における端末装置の概略構造図である。
【図７】本願発明の実施形態２における、端末装置におけるヘッドセットが使用される際のヘッドセットの概略構造図である。
【発明を実施するための形態】
【００１４】
下記に本願は発明の実施形態における添付図を参照に本願発明の実施形態における技術的解決策が明確かつ完全に説明される。明らかに、説明される実施形態は、本願発明の実施形態の全てではなくいくかに過ぎない。創造的努力なしに本願発明の実施形態に基づいて当業者によって得られる全ての他の実施形態は、本願発明の保護範囲に収まるべきである。
【００１５】
図１は本願発明の実施形態１の端末装置におけるヘッドセットが使用されない際の概略構造図であり；図２は本願発明の実施形態１における端末装置が使用される際に左図であり；かつ、図３は本願発明の実施形態１における端末装置が使用される際に右図である。図１に示されるように、本願発明のこの実施形態の端末装置は、バンド１１及びヘッドセット１３を含み、バンド１１は、装飾的な機能及び電気的な機能を有する装置である。バンド１１は、装飾的な機能を有するリング状の装飾品であり、手首部に着用され得、または、電気的な機能を有するスマートバンドであり、脈拍などの人の健康状態を検出可能であり得、または、スマートフォンとのワイヤレス同期接続を実施するスマートバンドであり、電話応答機能を有し得、本願発明において限定されることはない。バンド１１は、Ｕ字型のバンド本体１２、と、Ｕ字型のバンド本体の両端に離れて位置する第１のバンド端部分１５及び第２のバンド端部分１６をと、含み、使用者が、バンド本体のＵ字型のノッチを使用することによって手首にバンド１１を着用し得る。ヘッドセット１３は、ヘッドセット本体１４を含み、ヘッドセット本体１４は、第１のヘッドセット端部分１７及び第２のヘッドセット端部分１８を含み、第１のバンド端部分１５は、回転構造体１９を使用することによって第１のヘッドセット端部分１７に固定して連結される。ヘッドセット１３が使用されない際、ヘッドセット１３及びバンド１１は、使用者がチャオ供養できるよう共に閉じられたリングを形成する。図２及び図３に示されるように、ヘッドセット１３が使用される際、使用者は、回転構造体１９を球の中心として使用することによって任意の軸に沿って第２のヘッドセット端部分１８を回転し、ヘッドセット１３及びバンド１１の相対位置を柔軟に変え得る。この場合は、バンド１１は、イヤーフックとして使用される。
【００１６】
図４は、本願発明の実施形態１における、端末装置における回転構造がヘッドセット及びバンドを連結する概略構造図である。図４に示されるように、バンド１１の第１のバンド端部分１５は、回転構造体１９を使用することによってヘッドセット１３の第１のヘッドセット端部分１７に固定して連結される。使用者がヘッドセット１３を使用する必要がある際、使用者は、球の中心として回転構造体１９を使用することによってヘッドセット１３の第２のヘッドセット端部分１８を回転する。回転構造体１９の一端は、バンドの第１のバンド端部分１５に締結され、回転構造体１９の他端は、球状磁石またはスピンドルを使用することによってヘッドセット１３の第１のヘッドセット端部分１７に連結される。当業者であれば、使用者がヘッドセット１３を使用する際、使用者が球の中心として回転構造体１９を使用して任意の軸に沿ってヘッドセット１３を回転し得、ヘッドセット１３及びバンド１１の相対位置を柔軟に変え、使用者がヘッドセットを使用する際に快適度を改善し得ることが理解できる。
【００１７】
図５は、本願発明の実施形態１における、端末装置におけるヘッドセットが使用されない瞬間から、ヘッドセットが使用される瞬間への概略図である。図５に示されるように、使用者がヘッドセット１３を使用する必要がある際、使用者は球の中心として回転構造体１９を使用することによってヘッドセットの第２のヘッドセット端部分１８を回転し得る。端末装置がヘッドセットとして使用される際、使用者は、耳にバンド１１をかけ、バンド１１を耳フックとして使用し、これにより、ヘッドセットはより良好に締結され得る。使用者がヘッドセット１３を使用する必要がない際、ヘッドセット１３及びバンド１１は、着用者が着用できる閉じられたリングを共に形成し、これにより、ヘッドセットとバンドとの間の自由な転換を実施し、ヘッドセットを収める既存空間を効率的に利用し、使用者がヘッドセットを携帯することを比較的に便利にする。
【００１８】
この実施形態で形成される端末装置において、バンド本体の第１のバンド端部分は、回転構造体を使用することによってヘッドセット本体の第１のヘッドセット端部分に固定して連結される。ヘッドセットが使用される際、バンドは、耳フックとして使用され、ヘッドセットが使用されない際、ヘッドセット及びバンドは、着用者が着用できる閉じられたリングを共に形成し、これにより、端末装置によって占有される空間を削減し、使用者が端末装置を携帯することを便利にする。
【００１９】
図６は、本願発明の実施形態２における端末装置の概略構造図であり、図７は、本願発明の実施形態２における、端末装置におけるヘッドセットが使用される際のヘッドセットの概略構造図である。この実施形態では、実施形態１で提供される端末装置に基づいて、溝が、ヘッドセット本体の底面に配置される。図７に示されるように、ヘッドセット１３は、ヘッドセットレシーバ２０をさらに含み、溝２１は、ヘッドセット本体１４の底面上の第２のヘッドセット端部分１８の近くの位置に配置され、ヘッドセットレシーバ２０の一端は、溝２１内の固定ポールに移動可能に連結され、ヘッドセットレシーバ２０の他端は、宙に吊られた状態で配置される。図６に示されるように、使用者がヘッドセット１３を使用する必要がない際、使用者は、ヘッドセットレシーバ２０の宙に吊られた状態で配置された端がバンド１１の第２のバンド端部分１６と接触するまで、球の中心として溝２１内の固定ポールを使用することによってヘッドセットレシーバ２０を回転し、第２のバンド端部分１６が、ヘッドレシーバを損傷から保護し、ヘッドセットの耐用年数を改善する。この場合、ヘッドセット１３及びバンドは、着用者が着用できる閉じられたリングを共に形成する。
【００２０】
この実施形態で提供される端末装置において、ヘッドレシーバを収容するために使用される溝は、ヘッドセット本体の底面上の第２のヘッドセット端部分の近くの位置に配置され、これにより、ヘッドセットレシーバを損傷から効果的に保護し、ヘッドセットの耐用年数を改善する。さらに、ヘッドセットが使用されない際、ヘッドレシーバの、宙に吊られた状態で配置された一端がバンドの第２のバンド端部分と接触するまで、球の中心として溝内の固定ポールを使用することによってヘッドセットレシーバが回転され、これにより、ヘッドセットおよびバンドは、着用者が着用できる閉じられたリングを共に形成し、端末装置に占有される空間を削減し、着用者が端末装置を携帯するのを便利にする。
【００２１】
付随的に、前述の端末装置において、ヘッドセット１３が使用されない際、ヘッドセットレシーバ２０は、球の中心として溝２１内の固定ポールを使用することによって溝２１内に回転され、これにより、ヘッドセット１３の第２のヘッドセット端部分１８がバンド１１の第２のバンド端部分１６と接触し、これにより、効果的に、ヘッドセットレシーバ２０を損傷から保護し、ヘッドセットの耐用年数を改善し得る。この場合、ヘッドセット１３及びバンド１１は、着用者が着用できる閉じられたリングを形成する。
【００２２】
付随的に、バンド本体の材料は、変形可能な材料、または、革や金属などの非変形可能な材料であるが、本願発明において限定されることはない。
【００２３】
前述の実施形態は、単に、本願発明の技術的解決策を説明するためであって、本願の用途を限定するものでないことを意図する。本願は、前述の実施形態を参照に詳細に説明されるが、当業者であれば、本願の実施形態の技術的解決案の精神と範囲から逸脱することなく、前述の実施形態において説明される技術的解決策をさらに変更を加え得る、または、そのいくつかの技術的特徴に対して同等の代替え案を出し得ることを理解すべきである。
【符号の説明】
【００２４】
１１  バンド
１２  バンド本体
１３  ヘッドセット
１４  ヘッドセット本体
１５  第１のバンド端部分
１６  第２のバンド端部分
１７  第１のヘッドセット端部分
１８  第２のヘッドセット端部分
１９  回転構造体
２０  ヘッドセットレシーバ
２１  溝
【図１】
0006376622.tif 000002
【図２】
0006376622.tif 000003
【図３】
0006376622.tif 000004
【図４】
0006376622.tif 000005
【図５】
0006376622.tif 000006
【図６】
0006376622.tif 000007
【図７】
0006376622.tif 000008